(57)【特許請求の範囲】
【請求項１】
透明な包装フィルムにより、被包装体である使い捨て紙製品が包装され、
前記包装フィルムに、光学読み取り可能な情報がコードされた二次元バーコードが表示され、
前記二次元バーコードは、前記包装フィルムの裏面に印刷され、かつ、前記包装フィルムの表面側から前記情報が読み取り可能なように表示されており、
前記二次元バーコードの背景に、白色を呈する白色領域が形成され、
前記白色領域は、前記二次元バーコードの印刷層を被覆するように印刷された印刷層によって形成されている包装体。
【請求項２】
前記白色領域は、花をモチーフとする形状に構成されるとともに、
前記二次元バーコードは、前記白色領域の中央に配置されている請求項１に記載の包装体。
【請求項３】
前記二次元バーコードは、包装体に対して傾斜するように表示されている請求項２に記載の包装体。
【請求項４】
前記二次元バーコードには、前記使い捨て紙製品に関するキャンペーンサイトのインターネットアドレスがコードされている請求項１〜３のいずれか一項に記載の包装体。
【発明の詳細な説明】
【技術分野】
【０００１】
本発明は、例えば、ロール状衛生用紙、生理用ナプキン、使い捨ておむつ等の使い捨て紙製品を被包装体とし、これらの被包装体が、透明な包装フィルムにより包装された包装体に関するものである。
【背景技術】
【０００２】
例えば、カートン入り衛生用紙（ティシュペーパー等）、ロール状衛生用紙（トイレットペーパー、キッチンペーパー、タオルペーパー、クッキングシート等）、袋入り衛生用紙（ポケットティシュ等）、生理用ナプキン、使い捨ておむつ等の使い捨て紙製品は、包装フィルムによって包装された包装体の状態で市販されている。このような包装体は、使い捨て紙製品に限らず、様々な製品に用いられている。
【０００３】
ところで、前記のような包装体には、光学読み取り可能な情報がコードされたバーコードが表示されることがある。例えば、被包装体を包装する包装フィルムの表面に、ＰＯＳ（Ｐｏｉｎｔ−Ｏｆ−Ｓａｌｅ、販売時点情報管理）システム等で用いられるバーコードを表示することが行われている（例えば、特許文献１又は２参照）。
【０００４】
そして、最近では、単位面積当たりの情報量が多く、より多くの情報をコードすることが可能な二次元バーコードが用いられている。二次元バーコードが表示された包装体としては、ティシュペーパーと、ティシュペーパーを収納する袋体からなり、袋体に収容された広告部材（チラシ）に、広告に関連するホームページのＵＲＬ等の情報がコードされた二次元バーコードが付されたポケットティシュが開示されている（例えば、特許文献３参照）。
【０００５】
【特許文献１】特開平８−２６２３８号公報
【特許文献２】特開２００３−７２８４６号公報
【特許文献３】特開２００５−２８７９５３号公報
【発明の開示】
【発明が解決しようとする課題】
【０００６】
しかしながら、二次元バーコードを用いた場合、包装体の形態によっては、コードされた情報の誤読や認識不能が発生する場合があった。特に、二次元バーコードは、従来の一次元バーコードと比較して情報密度が高いため、このよう問題が発生する蓋然性は高い。
【０００７】
本発明は、このような従来技術の課題を解決するためになされたものであって、二次元バーコードを用いた場合であっても、コードされた情報を確実に読み取ることができ、情報の誤読や認識不能を有効に防止することができる包装体を提供するものである。
【課題を解決するための手段】
【０００８】
本発明者は、前記のような従来技術の課題を解決するために鋭意検討した結果、二次元バーコードを包装体の特定の部分に表示することによって、上記課題が解決されることに想到し、本発明を完成させた。具体的には、本発明により、以下の包装体が提供される。
【００１４】
［１］  透明な包装フィルムにより、被包装体である使い捨て紙製品が包装され、前記包装フィルムに、光学読み取り可能な情報がコードされた二次元バーコードが表示され、前記二次元バーコードは、前記包装フィルムの裏面に印刷され、かつ、前記包装フィルムの表面側から前記情報が読み取り可能なように表示されており、前記二次元バーコードの背景に、白色を呈する白色領域が形成され、前記白色領域は、前記二次元バーコードの印刷層を被覆するように印刷された印刷層によって形成されている包装体。
【００１６】
［２］  前記白色領域は、花をモチーフとする形状に構成されるとともに、前記二次元バーコードは、前記白色領域の中央に配置されている前記［１］に記載の包装体。
【００１７】
［３］  前記二次元バーコードは、包装体に対して傾斜するように表示されている前記［２］に記載の包装体。
【００１８】
［４］  前記二次元バーコードには、前記使い捨て紙製品に関するキャンペーンサイトのインターネットアドレスがコードされている前記［１］〜［３］のいずれかに記載の包装体。
【発明の効果】
【００１９】
本発明の包装体は、二次元バーコードを用いた場合であっても、コードされた情報を確実に読み取ることができ、情報の誤読や認識不能を有効に防止することができる。
【発明を実施するための最良の形態】
【００２０】
以下、本発明の包装体を実施するための最良の形態について、図面を参照しながら具体的に説明する。但し、本発明はその発明特定事項を備える包装体を広く包含するものであり、以下の実施形態に限定されるものではない。
【００２１】
［１］第１の実施形態（第１の包装体）：
第１の実施形態（第１の包装体）は、図１に示す包装体１のように、透明な包装フィルム４により、被包装体２であるカートン入り衛生用紙６が包装され、カートン入り衛生用紙６のカートン側面に、光学読み取り可能な情報がコードされた二次元バーコード８が表示された包装体である。
【００２２】
［１−１］第１の実施形態の特徴：
一般に、衛生用紙収納用のカートンは、上面、底面、一対の側面、及び一対の妻面を有する箱状を呈していることが多い。
【００２３】
そこで、第１の実施形態においては、上面、底面、妻面ではなく、側面に二次元バーコードを表示することとした。この形態では、二次元バーコードが、最も購買者の目に留まりやすいカートン側面に表示されているため、カートンの裏面や妻面に表示されている場合と比較して、購買者が容易に視認することができる。
【００２４】
また、カートン側面は、妻面と比較して面積が大きく、カートンブランク同士が貼り合わされた継ぎ目や段差もないため、二次元バーコードを大きく表示することができる。従って、コードされた情報を確実に読み取ることができ、情報の誤読や認識不能を有効に防止することができる。
【００２５】
更に、カートン入り衛生用紙は、複数個が積重された状態で一体的に包装されたマルチパックとして包装されることが多いが、二次元バーコードがカートン側面に表示されていれば、上面や底面に表示した場合とは異なり、二次元バーコードを確実にマルチパックの外部から視認することができる。従って、パッケージを開封しなくても二次元バーコードにコードされた情報にアクセスすることができる。
【００２６】
なお、本明細書にいう「二次元バーコード」には、スタック式、マトリックス式の双方が含まれる。「スタック式二次元バーコード」としては、コード４９、コード１６Ｋ、ＰＤＦ４１７、ウルトラコード等を挙げることができる。一方、「マトリックス式二次元バーコード」としては、データマトリックス、ベリコード、ＱＲコード、マキシコード、ＣＰコード、コード１、ボックス図形コード、アズテックコード等を挙げることができる。
【００２７】
第１の実施形態においては、カートン入り衛生用紙は、図２に示すカートン入り衛生用紙６のように、カートン側面に、白色を呈する白色領域１０を有し、この白色領域１０の内部に二次元バーコード８が配置されていることが好ましい。
【００２８】
前記の構成により、二次元バーコードの背景を白色とすることができる。これにより、文字、模様、色彩等が排除された領域に二次元バーコードを表示することができ、また、二次元バーコードと背景のコントラストが鮮明になる。従って、コードされた情報を確実に読み取ることができ、情報の誤読や認識不能を有効に防止することが可能となる。
【００２９】
「白色領域」としては、カートン側面の一部に白色を呈する領域が形成されていてもよいし、カートン側面の全部が白色を呈していてもよい。換言すれば、カートン側面に白色の着色領域を形成したもののみならず、カートン側面の地色が白色の場合も含まれる。
【００３０】
ところで、二次元バーコードにコードされた情報を確実に読み取り、情報の誤読や認識不能を防止するためには、二次元バーコードのサイズを大きくすることが有効である。しかしながら、カートン側面は意匠的な観点からも重要な部分であるため、白色と黒色のモザイク模様である二次元バーコードを大きく表示してしまうと、本来のデザインが損なわれ、意匠的な効果が低下してしまうおそれがある。
【００３１】
そこで、第１の実施形態においては、図２に示すように、カートン入り衛生用紙６のカートン側面に、ロゴ１２が表示されており、二次元バーコード８が、ロゴ１２を構成する複数の文字１４と同サイズに構成されるとともに、複数の文字１４と連続するように配置されていることが好ましい。
【００３２】
前記の構成により、二次元バーコード８がロゴ１２と一体的に表示され、二次元バーコード８により、カートン側面のデザインが損なわれることはない。
【００３３】
「ロゴ」としては、通常、ブランド名や商品名をデザイン化した複数の文字が用いられる。「ロゴを構成する複数の文字と同サイズに」とは、文字と二次元バーコードを厳密な意味で同じ寸法とすることを意味するものではなく、二次元バーコードを文字として捉えた場合に、ロゴを構成する一連の文字とフォントサイズが同サイズであることを意味する。より具体的には、ロゴを構成する複数の文字のうち、最大の面積を占める文字と同程度の大きさに構成されていればよい。このような大きさであれば、カートン側面のデザインを損なうことはないからである。
【００３４】
二次元バーコードを表示する部位について、特に制限はない。但し、本来のデザインを損なわないという観点から、カートン側面の左端又は右端に近い領域に表示することが好ましく、カートン側面の右端に近い領域に表示することが更に好ましく、前記ロゴを構成する複数の文字の右側に並列するように表示することが特に好ましい。
【００３５】
第１の実施形態においては、図１及び図２に示す包装体１のように、カートン入り衛生用紙６が複数個積重された状態で一体的に包装されており、包装体１の最も上部に位置するカートン入り衛生用紙のカートン側面にのみ二次元バーコード８が表示されていることが好ましい。
【００３６】
二次元バーコードとしては、特殊なリーダーを用いることなく、カメラ付き携帯電話で写真を撮ると、二次元バーコードにコードされた情報が読み取れるようになっているものが汎用されている。前記の構成によれば、マルチパックの最上段に位置するカートンに二次元バーコードが表示されており、マルチパックのパッケージを開封する前の状態でも二次元バーコードが写真を撮り易い高さに表示されているので、購買者が極めて容易に二次元バーコードにコードされた情報にアクセスすることができる。
【００３７】
そして、最上位のカートン入り衛生用紙以外のカートン入り衛生用紙については、カートンの側面に二次元バーコードを表示しないことで、マルチパックの状態とした場合でも、二次元バーコードの表示面積が過度に大きくなることがない。従って、デザイン性、意匠的効果の低下をより効果的に抑制することができる。
【００３８】
また、最上位のカートン入り衛生用紙以外のカートン入り衛生用紙については、通常デザインのカートン入り衛生用紙を使用することができる。従って、マルチパック全体として、所望の情報をコードした上で、二次元バーコードに拘束されない、デザインに特化したカートン入り衛生用紙を包装することも可能となる。
【００３９】
マルチパックにおいて積重されるカートン入り衛生用紙の個数は特に制限されるものではなく、所望の個数を積重すればよい。但し、通常は、３個又は５個のカートン入り衛生用紙が積重されてマルチパックが構成される。
【００４０】
第１の実施形態においては、二次元バーコードに、カートン入り衛生用紙に関するキャンペーンサイトのインターネットアドレスがコードされていることが好ましい。
【００４１】
前記の構成により、カートン入り衛生用紙の購買者を、極めて容易にそのカートン入り衛生用紙に関するキャンペーンサイトに誘導することができる。キャンペーンサイトにおいては、キャンペーン内容の説明、プレゼントの応募要項の説明、応募用紙の発行等、包装フィルム単独では表示できない多彩な情報を提供することができ、包装フィルムに表示された情報と相俟って、消費者の購買意欲を喚起することができる。
【００４２】
なお、「キャンペーンサイト」とは、キャンペーンに関するｗｅｂサイトを意味し、「インターネットアドレス」とは、ｗｅｂアドレスの他、メールアドレス等も含む。
【００４３】
［１−２］第１の包装体の構成：
次いで、第１の実施形態に係る包装体（第１の包装体）の構成要素について説明する。
【００４４】
［１−２Ａ］包装フィルム：
「包装フィルム」とは、フィルム状の包装材料であり、通常、樹脂製のものが用いられる。包装フィルムを構成する樹脂について特に制限はないが、リサイクルに適した熱可塑性樹脂（いわゆるプラスチック）であることが好ましい。具体的には、ポリオレフィン（ポリエチレンやポリプロピレン等）、ポリエステル（ＰＥＴ等）、ポリアミド（ナイロン等）、ポリカーボネート、ポリスチレン、ポリ塩化ビニル等、従来公知の熱可塑性樹脂を挙げることができる。中でも、ポリエチレン、ポリプロピレン等のポリオレフィンが好ましく、延伸性や強度の面で、ポリエチレンが更に好ましい。
【００４５】
また、本発明においては、包装フィルムが透明であることが必要である。透明である限り、無色透明のみならず、有色透明のものも適用可能である。また、ベースとなるフィルムが透明である限り、模様等が印刷されていてもよい。
【００４６】
包装フィルムの厚さは、被包装体の種類や重量によっても異なるが、ティシュカートンを被包装体とする場合には、フィルムの厚さを１０〜３５μｍとすることが好ましい。
【００４７】
［１−２Ｂ］被包装体：
第１の実施形態における被包装体は、カートン入り衛生用紙である。「カートン入り衛生用紙」とは、包装箱に収納された形態の衛生用紙であり、例えば、カートン入りティシュ、カートン入りキッチンペーパー、カートン入りタオルペーパー、カートン入りクッキングシート等を挙げることができる。
【００４８】
一般に、衛生用紙収納用のカートンは、図４に示すように、一枚のカートンブランク５０の折り曲げ・貼り合わせ加工によって形成されている。具体的には、上面１６、底面１８、一対の側面２０、及び一対の妻面２２を有する形状に折り曲げられ、これらの面によって区画された、衛生用紙を収納し得る内部空間が形成される箱状に形成されることが多い。
【００４９】
このような形状としては、例えば、直方体状、立方体状等の六面体状を挙げることができる。これらの形状では、上面と底面、一の側面と他の側面、一の妻面と他の妻面が対向するように平行に配置される。これらの形状の中では、直方体状が好ましい。
【００５０】
［１−２Ｃ］包装形態：
包装形態は、特に限定されるものではなく、従来公知の包装形態により、包装体を形成すればよい。カートン入り衛生用紙の場合、キャラメル包装等の包装形態が好適に用いられる。
【００５１】
［２］本発明の第２の実施形態（第２の包装体）：
本発明の第２の実施形態（第２の包装体）は、図５に示す包装体１００のように、透明な包装フィルム１０４により、被包装体である使い捨て紙製品が包装され、包装フィルム１０４に、光学読み取り可能な情報がコードされた二次元バーコード１０８が表示され、二次元バーコード１０８は、包装フィルム１０４の裏面に印刷され、かつ、包装フィルム１０４の表面側から情報が読み取り可能なように表示されている包装体である。
【００５２】
［２−１］第２の実施形態の特徴：
第２の実施形態においては、二次元バーコードを包装フィルムの表面側ではなく、裏面に印刷することにした。この形態では、二次元バーコードが、梱包時や搬送時に他の部材や購買者の手等と接触し難い包装フィルムの裏面に印刷されているため、包装フィルムの表面に印刷されている場合と比較して、摩擦や接触による二次元バーコードの消失を有効に防止することができる。
【００５３】
「二次元バーコード」は、第１の実施形態と同様に、スタック式二次元バーコード、マトリックス式二次元バーコードの双方を用いることができる。
【００５４】
「包装フィルムの表面側から情報が読み取り可能なように表示されている」とは、表面側からも二次元バーコードを視認することができ、光学的な読み取りが可能な状態を指す。即ち、包装フィルムを透明フィルムで構成することにより、包装フィルム表面側からの情報読み取りが可能となる。
【００５５】
第２の実施形態においては、図５及び図６に示す包装体１００のように、二次元バーコード１０８の背景に、白色を呈する白色領域１１０が形成され、図７に示すように、白色領域１１０は、二次元バーコード１０８の印刷層１２６を被覆するように印刷された印刷層１２８によって形成されている。
【００５６】
前記の構成により、二次元バーコードの背景を白色とすることができる。これにより、二次元バーコードと背景のコントラストが鮮明になる。従って、コードされた情報を確実に読み取ることができ、情報の誤読や認識不能を有効に防止することが可能となる。
【００５７】
また、二次元バーコードの印刷層が、白色領域の印刷層によって被覆される。従って、包装フィルムの裏面側における被包装体と二次元バーコードとの摩擦や接触も回避することができ、二次元バーコードの消失をより確実に防止することができる。
【００５８】
「白色領域」は、包装フィルムの少なくとも一部に白色を呈する領域が形成されていればよい。また、白色領域には、二次元バーコードからの情報読み取りを阻害しない限りにおいて、二次元バーコード以外の文字や模様が表示されていてもよい。
【００５９】
第２の実施形態においては、図５及び図６に示すように、白色領域１１０が、花をモチーフとする形状に構成されるとともに、二次元バーコード１０８は、白色領域１１０の中央に配置されていることが好ましく、二次元バーコード１０８が、包装体に対して傾斜するように表示されていることが更に好ましい。
【００６０】
花をモチーフとする形状にデザイン化された白色領域の中央に二次元バーコードを配することにより、あたかも白色領域が花びら、二次元バーコードが雄しべ・雌しべ、或いは頭状花等であるかのように視認される。そして、二次元バーコードを傾斜させるように表示することにより、花の形状に模することができ、前記の効果が向上する。従って、二次元バーコードを大きく表示した場合でも、包装体本来のデザインが損なわれることが少なく、意匠的な効果を低下させることを有効に防止することができる。
【００６１】
「花をモチーフとする形状」は、厳密な意味で花の形状をデザイン化したものに限られず、花を連想させる形状であれば足りる。複数の花びら状の部分を有する形状であれば、本明細書にいう「花をモチーフとする形状」に含まれる。
【００６２】
「白色領域の中央」とは、二次元バーコードが白色領域の縁部にかかるように表示されていないことを意味する。即ち、二次元バーコードの全てが白色領域の内部に納まっていれば足り、「白色領域の中心」に表示されていることまでは要しない。
【００６３】
「包装体に対して傾斜するように」とは、二次元バーコードの外縁を区画する辺と、包装体の稜線とが平行に配置されていないことを意味する。例えば、図５及び図６に示す包装体１００では、二次元バーコード１０８の外縁を区画する辺を、包装体１００の稜線Ｌ１に対して斜め方向に配置し、前記辺と稜線Ｌ１とが平行に配置されない構成としている。
【００６４】
なお、二次元バーコードは、読み取り作業の効率化を図るため、バーコードの方向性に関する情報もコードされており、３６０°全方向からの読取りが可能である。従って、上記のように二次元バーコードを傾斜させて配置した場合でも、情報の読み取りに支障が出ることはない。
【００６５】
第２の実施形態においては、二次元バーコードに、使い捨て紙製品に関するキャンペーンサイトのインターネットアドレスがコードされていることが好ましい。
【００６６】
前記の構成により、第１の実施形態と同様に、使い捨て紙製品の購買者を、極めて容易にそのカートン入り衛生用紙に関するキャンペーンサイトに誘導することができる。キャンペーンサイトにおいて提供し得る情報の種類、「キャンペーンサイト」、「インターネットアドレス」の定義は、第１の実施形態と同様である。
【００６７】
［２−２］第２の包装体の構成：
次いで、第２の実施形態に係る包装体（第２の包装体）の構成要素について説明する。
【００６８】
［２−２Ａ］包装フィルム：
「包装フィルム」の定義、使用し得る樹脂の種類、好ましい樹脂の種類等は、第１の実施形態と同様である。但し、トイレットペーパーのようなロール状衛生用紙の包装にはガセットチューブが利用されることが多い。この場合には、フィルムの厚さを５０〜１１０μｍとすることが好ましく、６５〜９０μｍとすることが更に好ましい。
【００６９】
［２−２Ｂ］被包装体：
第２の実施形態における被包装体は、使い捨て紙製品である。「使い捨て紙製品」とは、ロール状衛生用紙（トイレットペーパー、キッチンペーパー、タオルペーパー、クッキングシート等）、袋入り衛生用紙（ポケットティシュ等）等の衛生用紙の他、生理用ナプキン、使い捨ておむつ等を挙げることができる。
【００７０】
［２−２Ｃ］包装形態：
包装形態は、特に限定されるものではなく、従来公知の包装形態により、包装体を形成すればよい。ロール状衛生用紙の場合、ガセットチューブを用いたガセット包装等の包装形態が好適に用いられる。
【００７１】
なお、包装体には、包装体を開封して被包装体を取り出すためのミシン目を形成してもよい。このようなミシン目を形成することにより、比較的簡便に、力を要することなく内容物である被包装体を取り出すことができる。ミシン目の形成位置は特に限定されるものではなく、被包装体の取出しが容易となる位置に形成すればよい。
【実施例】
【００７２】
以下、本発明の包装体について、図面を参照しながら更に具体的に説明する。但し、本発明の包装体は、以下の実施例に限定されるものではない。
【００７３】
（参考例１）
図１は、包装体の一の実施形態を示す斜視図であり、図２は、図１に示す包装体の被包装体であるカートン入り衛生用紙の部分を抜き出して示す一部正面図である。また、図３は、図１に示す包装体の最も上部に位置するカートン入り衛生用紙を抜き出して示す斜視図であり、図４は、図３に示すカートン入り衛生用紙の中間体であるカートンブランクを示す展開図である。
【００７４】
図１に示す包装体１は、樹脂製の透明な包装フィルム４により、被包装体２であるカートン入り衛生用紙６をキャラメル包装した包装体である。包装フィルム４としては、厚さを２０μｍのポリエチレン製フィルムが用いられている。
【００７５】
被包装体２であるカートン入り衛生用紙６としては、カートン入りティシュが用いられている。このカートン入り衛生用紙６は、図４に示すような、一枚の紙材料からなるカートンブランク５０から形成された箱状を呈するカートンの内部空間に衛生用紙束が挿入されたものである。カートンは、長さ２４２ｍｍ×奥行き１１６ｍｍ×高さ５０ｍｍの直方体状に構成されている。
【００７６】
包装体１は、カートン入り衛生用紙６のカートン側面に、光学読み取り可能な情報がコードされた二次元バーコード８が表示されている。二次元バーコードとしては、マトリックス式二次元バーコードであるＱＲコードが表示されており、このＱＲコードにはカートン入りティシュに関するキャンペーンサイトのｗｅｂアドレスがコードされている。
【００７７】
この二次元バーコード８は、カメラ付き携帯電話等で写真を撮ると、特殊なリーダーを用いなくても、二次元バーコード８にコードされたキャンペーンサイトのｗｅｂアドレスを読み取ることができる。従って、購買者を、極めて容易にそのカートン入り衛生用紙に関するキャンペーンサイトに誘導することができるように構成されている。誘導されたキャンペーンサイトにおいては、キャンペーン内容の説明、プレゼントの応募要項の説明、応募用紙の発行等の情報を取得することが可能である。
【００７８】
包装体１においては、カートン入り衛生用紙６は、カートンの側面２０に、白色を呈する白色領域１０を有し、この白色領域１０の内部に二次元バーコード８が配置されている。より具体的には、カートンの側面２０の地色が白色であり、そこにロゴ１２と二次元バーコード８が表示されている．
【００７９】
また、包装体１においては、カートン入り衛生用紙６のカートンの側面２０に、ロゴ１２が表示されており、二次元バーコード８が、ロゴ１２を構成する複数の文字１４と同サイズに構成されるとともに、複数の文字１４と連続するように横一列に配置されている。
【００８０】
ロゴ１２としては、デザイン化された「ｎｅｐｉａ  ｃｏｌｏｒ」の１０個の文字１４が表示され、これらの文字１４のうち、最大の面積を占める「ｐ」の文字と同程度の大きさに構成された二次元バーコード８が表示されている。二次元バーコード８は、縦１８ｍｍ×横１８ｍｍのサイズに表示されている。
【００８１】
また、二次元バーコード８は、一対の側面のいずれにおいても、ロゴ１２を構成する複数の文字１４の右側に並列するように表示されている。即ち、図４に示すカートンブランク５０の状態では、二次元バーコード８は、カートンの上面１６を挟んで回転対称な位置に表示されている。
【００８２】
包装体１は、カートン入り衛生用紙６が５個積重された状態で一体的に包装されたマルチパックである。そして、包装体１の最上位のカートン入り衛生用紙６ａのカートンの側面２０にのみ二次元バーコード８が表示されているが、他のカートン入り衛生用紙６ｂには二次元バーコード８が表示されていない。そして、他のカートン入り衛生用紙６ｂには、最も上部に位置するカートン入り衛生用紙６ａとは異なるロゴ３２及び模様３４が表示されている。
【００８３】
包装体１には、持ち運びの際の便宜のため、樹脂製のフィルムからなる帯状の把手２４が付設されている。この把手２４は、包装体１の上面１６の中央部に、被包装体２の長手方向に沿って配置され、その両端部が包装体１の側面に固定されている。帯状の把手８と包装体１の上面６との間に手指を差し入れることが可能なように構成されている。
【００８４】
（実施例１）
図５は、本発明の包装体の別の実施形態を示す斜視図であり、図６は、図５に示す包装体の正面図である。また、図７は、図５に示す包装体を構成する包装フィルムの断面の一部を拡大して示す模式図である。
【００８５】
図５及び図６に示す包装体１００は、樹脂製の透明な包装フィルム１０４により、被包装体である使い捨て紙製品をガセット包装した包装体である。包装フィルム１０４としては、厚さ３０μｍ、ポリエチレン製の透明フィルムからなるガセットチューブが用いられている。
【００８６】
被包装体である使い捨て紙製品としては、ロール状のトイレットペーパーが用いられている。包装体１００には、４個×３段、計１２個のロール状トイレットペーパーが包装されている。包装体は、幅２０４ｍｍ×奥行き２０４ｍｍ×高さ３４２ｍｍの略直方体状に構成されている。
【００８７】
包装体１００は、包装フィルム１０４に、光学読み取り可能な情報がコードされた二次元バーコード１０８が表示されている。二次元バーコードとしては、ＱＲコードが表示されており、このＱＲコードにはロール状トイレットペーパーに関するキャンペーンサイトのｗｅｂアドレスがコードされている。
【００８８】
この二次元バーコード１０８は、図７に示すように、包装フィルム１０４の裏面Ｂに印刷され、かつ、包装フィルム１０４の表面Ｆ側から情報が読み取り可能なように表示されている。
【００８９】
また、図５及び図６に示すように、二次元バーコード１０８の背景に、白色を呈する白色領域１１０が形成されており、図７に示すように、白色領域１１０は、二次元バーコード１０８の印刷層１２６を被覆するように印刷された印刷層１２８によって形成されている。この構造は、包装フィルム１０４の裏面に二次元バーコード１０８を印刷した後、その印刷層１２６の上面に白色顔料等を塗工して白色領域１１０を表示する印刷層１２８を形成したものである。
【００９０】
更に、図６に示すように、包装体１００は、白色領域１１０の内部であって、二次元バーコード１０８の外縁に、キャンペーン情報を表示する文字が併記されている。
【００９１】
図５及び図６に示すように、包装体１００は、白色領域１１０が、花をモチーフとする形状、具体的には、１０枚の花びら状の部分を有する形状に構成されている。そして、二次元バーコード１０８は、その花を模した形状に形成された白色領域１１０の中央に配置されている。また、二次元バーコード１０８が、包装体１００の稜線Ｌ１に対して２５°傾斜するように表示されている。
【００９２】
なお、包装体１００においては、正面１２２、側面１２０の他、側面１２０と対となるもう一つの側面の計３箇所に二次元バーコード１０８が表示されている。二次元バーコード１０８は、縦２４ｍｍ×横２４ｍｍのサイズに表示されている。
【００９３】
包装体１００は、花を模した形状に形成された白色領域１１０の他にも、概ね円形の模様１３２，１３４が点在的に配置されており、白色領域１１０がデザインの一部として認識されるように工夫がなされている。
【００９４】
包装体１００には、持ち運びの際の便宜のため、ガセットチューブの一部を利用した把手１２４が付設されている。この把手１２４は、包装体１の上面１６の中央部に、包装体１００の稜線Ｌ２と平行するように配置されている。そして、把手１２４の一部に切込線１３６が形成されており、そこに手指を差し込むことにより、包装体１００の持ち運びが可能となるように構成されている。
【産業上の利用可能性】
【００９５】
本発明の包装体は、例えば、ロール状衛生用紙（トイレットペーパー、キッチンペーパー、タオルペーパー、クッキングシート等）、生理用ナプキン、使い捨ておむつ等の使い捨て紙製品を被包装体とする包装体として好適に用いることができる。
【図面の簡単な説明】
【００９６】
【図１】包装体の一の実施形態を示す斜視図である。
【図２】図１に示す包装体の被包装体であるカートン入り衛生用紙の部分を抜き出して示す一部正面図である。
【図３】図１に示す包装体の最も上部に位置するカートン入り衛生用紙を抜き出して示す斜視図である。
【図４】図３に示すカートン入り衛生用紙の中間体であるカートンブランクを示す展開図である。
【図５】本発明の包装体の別の実施形態を示す斜視図である。
【図６】図５に示す包装体の正面図である。
【図７】図５に示す包装体を構成する包装フィルムの断面の一部を拡大して示す模式図である。
【符号の説明】
【００９７】
１，１００：包装体、２：被包装体、４，１０４：樹脂フィルム、６，６ａ，６ｂ：カートン入り衛生用紙、８，１０８：二次元バーコード、１０，１１０：白色領域、１２：ロゴ、１４：文字、１６，１１６：上面、１８：底面、２０，１２０：側面、２２：妻面、２４，１２４：把手、３２：ロゴ、３４：模様、１２２：正面、１２６，１２８：印刷層、１３２，１３４：模様、１３６：切込線、Ｌ１，Ｌ２：稜線、Ｆ：表面、Ｂ：裏面。
【図１】
0004996415.tif 000002
【図３】
0004996415.tif 000003
【図４】
0004996415.tif 000004
【図５】
0004996415.tif 000005
【図７】
0004996415.tif 000006
【図２】
0004996415.tif 000007
【図６】
0004996415.tif 000008